(57)【特許請求の範囲】
【請求項１】
ワイヤレスネットワークにおいて干渉を緩和するための方法であって、
サービング基地局において、干渉時分割複信（ＴＤＤ）構成の存在と、前記サービング基地局の通信とネイバー基地局の通信との間のアップリンク／ダウンリンク不整合から生じる干渉とを識別することと、前記干渉ＴＤＤ構成の存在は、少なくとも
ユーザ機器（ＵＥ）からシグナリングを受信すること、
前記サービング基地局によってサービングされるＵＥのためのアップリンクサブフレームの間に前記ネイバー基地局のダウンリンク信号を検出すること、または、
共通基準信号（ＣＲＳ）トーンまたはチャネル状態情報基準信号（ＣＳＩ−ＲＳ）トーンのエネルギーを検出すること
によって識別され、
前記サービング基地局によって、潜在的に整合しないアップリンク／ダウンリンクサブフレームについての第１のチャネル状態情報（ＣＳＩ）報告をスケジュールすることと、
前記サービング基地局によって、異なるアップリンク／ダウンリンク構成にわたる共通アップリンク／ダウンリンクサブフレームについての第２のチャネル状態情報（ＣＳＩ）報告をスケジュールすることと、
前記第１のＣＳＩ報告と前記第２のＣＳＩ報告とに少なくとも部分的に基づいてＵＥ干渉を識別することと、
前記干渉ＴＤＤ構成に少なくとも部分的に基づいて干渉管理を実行することと
を備える、方法。
【請求項２】
前記干渉管理が、前記識別された干渉を回避すること、または前記識別された干渉を消去することを備え、
特に、前記識別された干渉を消去することが、意図されたアップリンク信号を受信したとき、干渉ダウンリンク信号を消去することを備える、請求項１に記載の方法。
【請求項３】
前記干渉管理が、
前記サービング基地局によってサービングされるＵＥのために、スケジューリング、変調およびコーディング方式（ＭＣＳ）、電力制御、またはそれらの組合せのうちの少なくとも１つを変更すること、
を備える、請求項１に記載の方法。
【請求項４】
ワイヤレス通信のための装置であって、
サービング基地局において、干渉時分割複信（ＴＤＤ）構成の存在と、前記サービング基地局の通信とネイバー基地局の通信との間のアップリンク／ダウンリンク不整合から生じる干渉とを識別するための手段と、前記干渉ＴＤＤ構成の存在は、少なくとも
ユーザ機器（ＵＥ）からシグナリングを受信すること、
前記サービング基地局によってサービングされるＵＥのためのアップリンクサブフレームの間に前記ネイバー基地局のダウンリンク信号を検出すること、または
共通基準信号（ＣＲＳ）トーンまたはチャネル状態情報基準信号（ＣＳＩ−ＲＳ）トーンのエネルギーを検出すること
によって識別され、
前記サービング基地局によって、潜在的に整合しないアップリンク／ダウンリンクサブフレームについての第１のチャネル状態情報（ＣＳＩ）報告をスケジュールするための手段と、
前記サービング基地局によって、異なるアップリンク／ダウンリンク構成にわたる共通アップリンク／ダウンリンクサブフレームについての第２のチャネル状態情報（ＣＳＩ）報告をスケジュールするための手段と、
前記第１のＣＳＩ報告と前記第２のＣＳＩ報告とに少なくとも部分的に基づいてＵＥ干渉を識別するための手段と、
前記干渉ＴＤＤ構成に少なくとも部分的に基づいて干渉管理を実行するための手段と
を備える、装置。
【請求項５】
様々な前記手段は、
メモリと、
前記メモリに結合された少なくとも１つのプロセッサと
を用いて実施され、前記少なくとも１つのプロセッサが、
干渉時分割複信（ＴＤＤ）構成と、前記サービング基地局の通信と前記ネイバー基地局の通信との間のアップリンク／ダウンリンク不整合から生じる干渉とを識別することと、前記少なくとも１つのプロセッサは、少なくとも
ユーザ機器（ＵＥ）からシグナリングを受信すること、
前記サービング基地局によってサービングされるＵＥのためのアップリンクサブフレームの間に前記ネイバー基地局のダウンリンク信号を検出すること、または
共通基準信号（ＣＲＳ）トーンまたはチャネル状態情報基準信号（ＣＳＩ−ＲＳ）トーンのエネルギーを検出すること
によって前記干渉ＴＤＤ構成を識別するようにさらに構成され、
前記識別された干渉ＴＤＤ構成に少なくとも部分的に基づいて干渉管理を実行することと
を行うように構成された、請求項４に記載の装置。
【請求項６】
前記少なくとも１つのプロセッサが、前記識別された干渉を回避すること、または前記識別された干渉を消去することを行うようにさらに構成され、
特に、前記少なくとも１つのプロセッサが、意図されたアップリンク信号を受信したとき、干渉ダウンリンク信号を消去するようにさらに構成された、請求項５に記載の装置。
【請求項７】
前記少なくとも１つのプロセッサが、
ＵＥのスケジューリング、変調およびコーディング方式（ＭＣＳ）、電力制御、またはそれらの組合せのうちの１つまたは複数を変更すること
を行うようにさらに構成された、請求項５に記載の装置。
【請求項８】
請求項１乃至３のうちのいずれか一項のステップをコンピュータに実行させるための、ワイヤレス通信のためのコンピュータ・プログラム。
【発明の詳細な説明】
【技術分野】
【０００１】
関連出願の相互参照
[0001]本出願は、その開示全体が参照により本明細書に明確に組み込まれる、２０１２年５月１日に出願された「ANCHOR SUBFRAME ADAPTIVE TDD」と題する米国仮特許出願第６１／６４１，２１１号の米国特許法第１１９条（ｅ）項に基づく利益を主張する。
【０００２】
[0002]本開示の態様は、一般にワイヤレス通信システムに関し、より詳細には、サービングセルおよびネイバーセルの時分割複信（ＴＤＤ：time division duplexing）構成に基づいてダウンリンク／アップリンク通信を調整することに関する。
【背景技術】
【０００３】
[0003]ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ：Long Term Evolution）である。ＬＴＥは、第３世代パートナーシッププロジェクト（３ＧＰＰ：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、スペクトル効率を改善することによってモバイルブロードバンドインターネットアクセスをより良くサポートし、コストを下げ、サービスを改善し、新しいスペクトルを利用し、また、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合するように設計されている。しかしながら、モバイルブロードバンドアクセスに対する需要が増加し続けるにつれて、ＬＴＥ技術のさらなる改善が必要である。好ましくは、これらの改善は、他の多元接続技術と、これらの技術を採用する電気通信規格とに適用可能であるべきである。
【０００５】
[0005]ここでは、以下の発明を実施するための形態がより良く理解され得るように、本開示の特徴および技術的利点についてやや広く概説した。以下で、本開示の追加の特徴および利点について説明する。本開示は、本開示の同じ目的を実行するための他の構造を変更または設計するための基礎として容易に利用され得ることを、当業者は諒解されたい。また、そのような等価な構成は、添付の特許請求の範囲に記載の本開示の教示から逸脱しないことを、当業者は了解されたい。さらなる目的および利点とともに、本開示の編成と動作の方法の両方に関して、本開示を特徴づけると考えられる新規の特徴は、添付の図に関連して以下の説明を検討するとより良く理解されよう。ただし、図の各々は、例示および説明のみの目的で与えたものであり、本開示の限界を定めるものではないことを明確に理解されたい。
【発明の概要】
【０００６】
[0006]本開示の一態様によれば、方法は、ワイヤレス時分割複信（ＴＤＤ）ネットワーク環境において干渉を緩和する。本方法は、ｅノードＢおよび／またはＵＥが、不整合アップリンクおよびダウンリンク送信のために構成されたサブフレーム上の干渉を識別することを含む。ｅノードＢは、ｅノードＢに関連するＵＥのためのアップリンクタイムスロット中に受信された近隣ｅノードＢのダウンリンク信号に基づいて干渉ＴＤＤ構成を識別し得る。同様に、ＵＥは、ＵＥに関連するｅノードＢのためのダウンリンクタイムスロット中に受信されたアップリンク信号に基づいて干渉ＵＥを識別し得る。ｅノードＢは、識別された干渉に少なくとも部分的に基づいて干渉管理を実行する。一構成では、干渉管理は、干渉ＴＤＤ構成に基づいて、整合しないサブフレームのために異なるスケジューリングおよび／または電力制御を指定することを含み得る。別の構成では、干渉管理は、干渉ダウンリンク信号または干渉アップリンク信号を消去することを含み得る。
【０００７】
[0007]本開示の一態様では、ワイヤレス通信の方法を開示する。本方法は、干渉時分割複信（ＴＤＤ）構成と、第１の基地局のアップリンク通信と第２の基地局のダウンリンク通信との間の不整合から生じる干渉とを識別することを含む。本方法はまた、識別された干渉ＴＤＤ構成に少なくとも部分的に基づいて干渉管理を実行することを含む。
【０００８】
[0008]本開示の別の態様は、干渉時分割複信（ＴＤＤ）構成と、第１の基地局のアップリンク通信と第２の基地局のダウンリンク通信との間の不整合から生じる干渉とを識別するための手段を含む装置を開示する。本装置はまた、識別された干渉ＴＤＤ構成に少なくとも部分的に基づいて干渉管理を実行するための手段を含む。
【０００９】
[0009]本開示の別の態様では、非一時的コンピュータ可読媒体を有するワイヤレスネットワークにおけるワイヤレス通信のためのコンピュータプログラム製品を開示する。コンピュータ可読媒体は、（１つまたは複数の）プロセッサによって実行されたとき、（１つまたは複数の）プロセッサに、干渉時分割複信（ＴＤＤ）構成と、第１の基地局のアップリンク通信と第２の基地局のダウンリンク通信との間の不整合から生じる干渉とを識別することを行わせる、非一時的プログラムコードを記録している。プログラムコードはまた、（１つまたは複数の）プロセッサに、識別された干渉ＴＤＤ構成に少なくとも部分的に基づいて干渉管理を実行させる。
【００１０】
[0010]本開示の別の態様は、メモリと、メモリに結合された少なくとも１つのプロセッサとを有するワイヤレス通信装置を開示する。（１つまたは複数の）プロセッサは、干渉時分割複信（ＴＤＤ）構成と、第１の基地局のアップリンク通信と第２の基地局のダウンリンク通信との間の不整合から生じる干渉とを識別するように構成される。（１つまたは複数の）プロセッサは、識別された干渉ＴＤＤ構成に少なくとも部分的に基づいて干渉管理を実行するようにさらに構成される。
【００１１】
[0011]本開示の一態様では、ワイヤレス通信の方法を開示する。本方法は、ＵＥによって、ＵＥのダウンリンクサブフレーム中のアップリンク干渉を測定することを含む。本方法はまた、アップリンク干渉をｅノードＢに報告することを含む。
【００１２】
[0012]本開示の別の態様は、ＵＥによって、ＵＥのダウンリンクサブフレーム中のアップリンク干渉を測定するための手段を含む装置を開示する。本装置はまた、アップリンク干渉をｅノードＢに報告するための手段を含む。
【００１３】
[0013]本開示の別の態様では、非一時的コンピュータ可読媒体を有するワイヤレスネットワークにおけるワイヤレス通信のためのコンピュータプログラム製品を開示する。コンピュータ可読媒体は、（１つまたは複数の）プロセッサによって実行されたとき、（１つまたは複数の）プロセッサに、ＵＥによって、ＵＥのダウンリンクサブフレーム中のアップリンク干渉を測定する動作を実行させる、非一時的プログラムコードを記録している。プログラムコードはまた、（１つまたは複数の）プロセッサに、アップリンク干渉をｅノードＢに報告させる。
【００１４】
[0014]本開示の別の態様は、メモリと、メモリに結合された少なくとも１つのプロセッサとを有するワイヤレス通信装置を開示する。（１つまたは複数の）プロセッサは、ＵＥによって、ＵＥのダウンリンクサブフレーム中のアップリンク干渉を測定するように構成される。（１つまたは複数の）プロセッサはまた、アップリンク干渉をｅノードＢに報告するように構成される。
【００１５】
[0015]本開示の一態様では、ワイヤレス通信の方法を開示する。本方法は、アップリンク構成およびダウンリンク構成にわたって共通であるサブフレームのアンカーセットを定義することを含む。本方法はまた、異なるアップリンク構成およびダウンリンク構成にわたって潜在的に共通でないサブフレームの非アンカーセットを定義することを含む。本方法は、アンカーセットおよび／または非アンカーセットを少なくとも１つのＵＥにシグナリングすることをさらに含む。
【００１６】
[0016]本開示の別の態様は、アップリンク構成およびダウンリンク構成にわたって共通であるサブフレームのアンカーセットを定義するための手段を含む装置を開示する。本装置はまた、異なるアップリンク構成およびダウンリンク構成にわたって潜在的に共通でないサブフレームの非アンカーセットを定義するための手段を含む。本装置は、アンカーセットおよび／または非アンカーセットを少なくとも１つのＵＥにシグナリングするための手段をさらに含む。
【００１７】
[0017]本開示の別の態様では、非一時的コンピュータ可読媒体を有するワイヤレスネットワークにおけるワイヤレス通信のためのコンピュータプログラム製品を開示する。コンピュータ可読媒体は、（１つまたは複数の）プロセッサによって実行されたとき、（１つまたは複数の）プロセッサに、アップリンク構成およびダウンリンク構成にわたって共通であるサブフレームのアンカーセットを定義する動作を実行させる、非一時的プログラムコードを記録している。プログラムコードはまた、（１つまたは複数の）プロセッサに、異なるアップリンク構成およびダウンリンク構成にわたって潜在的に共通でないサブフレームの非アンカーセットを定義させる。プログラムコードはさらに、（１つまたは複数の）プロセッサに、アンカーセットおよび／または非アンカーセットを少なくとも１つのＵＥにシグナリングさせる。
【００１８】
[0018]本開示の別の態様は、メモリと、メモリに結合された少なくとも１つのプロセッサとを有するワイヤレス通信装置を開示する。（１つまたは複数の）プロセッサは、アップリンク構成およびダウンリンク構成にわたって共通であるサブフレームのアンカーセットを定義するように構成される。（１つまたは複数の）プロセッサはまた、異なるアップリンク構成およびダウンリンク構成にわたって潜在的に共通でないサブフレームの非アンカーセットを定義するように構成される。（１つまたは複数の）プロセッサは、アンカーセットおよび／または非アンカーセットを少なくとも１つのＵＥにシグナリングするようにさらに構成される。
【００１９】
[0019]以下で、本開示の追加の特徴および利点について説明する。本開示は、本開示の同じ目的を実行するための他の構造を変更または設計するための基礎として容易に利用され得ることを、当業者は諒解されたい。また、そのような等価な構成は、添付の特許請求の範囲に記載の本開示の教示から逸脱しないことを、当業者は了解されたい。さらなる目的および利点とともに、本開示の編成と動作の方法の両方に関して、本開示を特徴づけると考えられる新規の特徴は、添付の図に関連して以下の説明を検討するとより良く理解されよう。ただし、図の各々は、例示および説明のみの目的で与えたものであり、本開示の限界を定めるものではないことを明確に理解されたい。
【００２０】
[0020]本開示の特徴、特性、および利点は、全体を通じて同様の参照符号が同様のものを指す図面とともに、以下に記載する発明を実施するための形態を読めばより明らかになろう。
【図面の簡単な説明】
【００２１】
【図１】[0021]ネットワークアーキテクチャの一例を示す図。
【図２】[0022]アクセスネットワークの一例を示す図。
【図３】[0023]ＬＴＥにおけるダウンリンクフレーム構造の一例を示す図。
【図４】[0024]ＬＴＥにおけるアップリンクフレーム構造の一例を示す図。
【図５】[0025]ユーザプレーンおよび制御プレーンのための無線プロトコルアーキテクチャの一例を示す図。
【図６】[0026]アクセスネットワーク中の発展型ノードＢおよびユーザ機器の一例を示す図。
【図７】[0027]ＬＴＥネットワークにおけるアップリンクダウンリンクサブフレーム構成を示すブロック図。
【図８】[0028]例様々な干渉シナリオを示すブロック図。
【図９Ａ】[0029]本開示の一態様による、アンカーサブフレーム構成および非アンカーサブフレーム構成の例を示す図。
【図９Ｂ】本開示の一態様による、アンカーサブフレーム構成および非アンカーサブフレーム構成の例を示す図。
【図１０】[0030]本開示の一態様による、干渉を緩和するための方法を示すブロック図。
【図１１】本開示の一態様による、干渉を緩和するための方法を示すブロック図。
【図１２】本開示の一態様による、干渉を緩和するための方法を示すブロック図。
【図１３】[0031]例示的な装置中の異なるモジュール／手段／構成要素間のデータフローを示す概念データフロー図。
【図１４】例示的な装置中の異なるモジュール／手段／構成要素間のデータフローを示す概念データフロー図。
【図１５】例示的な装置中の異なるモジュール／手段／構成要素間のデータフローを示す概念データフロー図。
【図１６】[0032]例示的な装置中の異なるモジュール／手段／構成要素を示すブロック図。
【図１７】例示的な装置中の異なるモジュール／手段／構成要素を示すブロック図。
【図１８】例示的な装置中の異なるモジュール／手段／構成要素を示すブロック図。
【発明を実施するための形態】
【００２２】
[0033]添付の図面に関して以下に示す発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【００２３】
[0034]様々な装置および方法に関して電気通信システムの態様を提示する。これらの装置および方法について、以下の発明を実施するための形態において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素がハードウェアとして実装されるのか、ソフトウェアとして実装されるのかは、特定の適用例および全体的なシステムに課された設計制約に依存する。
【００２４】
[0035]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００２５】
[0036]したがって、１つまたは複数の例示的な実施形態では、説明する機能は、ハードウェア、ソフトウェア、ファームウェア、またはそれらの任意の組合せで実装され得る。ソフトウェアで実装される場合、機能は、非一時的コンピュータ可読媒体上に記憶されるか、あるいは非一時的コンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれるべきである。
【００２６】
[0037]図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のＩＰサービス１２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者なら容易に諒解するように、本開示全体にわたって提示する様々な概念は、回線交換サービスを提供するネットワークに拡張され得る。
【００２７】
[0038]Ｅ−ＵＴＲＡＮは、発展型ノードＢ（ｅノードＢ）１０６と他のｅノードＢ１０８とを含む。ｅノードＢ１０６は、ＵＥ１０２へのユーザプレーンプロトコル送信と制御プレーンプロトコル送信とを行う。ｅノードＢ１０６は、バックホール（たとえば、Ｘ２インターフェース）を介して他のｅノードＢ１０８に接続され得る。ｅノードＢ１０６は、基地局、送受信基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅノードＢ１０６は、ＵＥ１０２にＥＰＣ１１０へのアクセスポイントを与える。ＵＥ１０２の例としては、セルラーフォン、スマートフォン、セッション開始プロトコル（ＳＩＰ：session initiation protocol）フォン、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００２８】
[0039]ｅノードＢ１０６は、たとえば、Ｓ１インターフェースを介して、ＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、パケットデータネットワーク（ＰＤＮ：Packet Data Network）ゲートウェイ１１８とを含む。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８は事業者のＩＰサービス１２２に接続される。事業者のＩＰサービス１２２は、インターネットと、イントラネットと、ＩＰマルチメディアサブシステム（ＩＭＳ：IP Multimedia Subsystem）と、ＰＳストリーミングサービス（ＰＳＳ：PS Streaming Service）とを含み得る。
【００２９】
[0040]図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅノードＢ２０８は、セル２０２のうちの１つまたは複数と重複するセルラー領域２１０を有し得る。より低い電力クラスのｅノードＢ２０８は、リモートラジオヘッド（ＲＲＨ：remote radio head）、フェムトセル（たとえば、ホームｅノードＢ（ＨｅＮＢ：home eNodeB））、ピコセル、またはマイクロセルであり得る。マクロｅノードＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例には集中コントローラはないが、代替構成では集中コントローラが使用され得る。ｅノードＢ２０４は、無線ベアラ制御、承認制御、モビリティ制御、スケジューリング、セキュリティ、およびサービングゲートウェイ１１６への接続性を含む、すべての無線関係機能を担当する。
【００３０】
[0041]アクセスネットワーク２００によって採用される変調および多元接続方式は、展開されている特定の電気通信規格に応じて異なり得る。ＬＴＥ適用例では、周波数分割複信（ＦＤＤ：frequency division duplexing）と時分割複信（ＴＤＤ）の両方をサポートするために、ＯＦＤＭがダウンリンク上で使用され、ＳＣ−ＦＤＭＡがアップリンク上で使用される。当業者なら以下の詳細な説明から容易に諒解するように、本明細書で提示する様々な概念は、ＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、ＣＤＭＡを採用して移動局にブロードバンドインターネットアクセスを提供する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課された全体的な設計制約に依存することになる。
【００３１】
[0042]ｅノードＢ２０４は、ＭＩＭＯ技術をサポートする複数のアンテナを有し得る。ＭＩＭＯ技術の使用により、ｅノードＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでダウンリンク上で複数の送信アンテナを通して空間的にプリコーディングされた各ストリームを送信することによって達成される。空間的にプリコーディングされたデータストリームは、異なる空間シグナチャとともに（１つまたは複数の）ＵＥ２０６に到着し、これにより、（１つまたは複数の）ＵＥ２０６の各々がそのＵＥ２０６に宛てられた１つまたは複数のデータストリームを復元することが可能になる。アップリンク上で、各ＵＥ２０６は、空間的にプリコーディングされたデータストリームを送信し、これにより、ｅノードＢ２０４は、空間的にプリコーディングされた各データストリームのソースを識別することが可能になる。
【００３２】
[0043]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００３３】
[0044]以下の詳細な説明では、アクセスネットワークの様々な態様について、ダウンリンク上でＯＦＤＭをサポートするＭＩＭＯシステムに関して説明する。ＯＦＤＭは、ＯＦＤＭシンボル内のいくつかのサブキャリアを介してデータを変調するスペクトル拡散技法である。サブキャリアは正確な周波数で離間する。離間は、受信機がサブキャリアからデータを復元することを可能にする「直交性（orthogonality）」を与える。時間領域では、ＯＦＤＭシンボル間干渉をなくすために、ガードインターバル（たとえば、サイクリックプレフィックス）が各ＯＦＤＭシンボルに追加され得る。アップリンクは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００３４】
[0045]図３は、ＬＴＥにおけるダウンリンクフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックは、周波数領域中に１２個の連続サブキャリアを含んでおり、各ＯＦＤＭシンボル中のノーマルサイクリックプレフィックスについて、時間領域中に７個の連続ＯＦＤＭシンボル、または８４個のリソース要素を含んでいる。拡張サイクリックプレフィックスについて、リソースブロックは、時間領域中に６個の連続ＯＦＤＭシンボルを含んでおり、７２個のリソース要素を有する。Ｒ３０２、３０４として示されるリソース要素のいくつかはダウンリンク基準信号（ＤＬ−ＲＳ：downlink reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ダウンリンク共有チャネル（ＰＤＳＣＨ：physical downlink shared channel）がマッピングされるリソースブロック上でのみ送信される。各リソース要素によって搬送されるビット数は変調方式に依存する。したがって、ＵＥが受信するリソースブロックが多いほど、また変調方式が高いほど、ＵＥのデータレートは高くなる。
【００３５】
[0046]図４は、ＬＴＥにおけるアップリンクフレーム構造の一例を示す図４００である。アップリンクのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。アップリンクフレーム構造は、データセクション中の連続するサブキャリアのすべてを単一のＵＥに割り当てることを可能にし得る連続サブキャリアを含むデータセクションを生じる。
【００３６】
[0047]ＵＥには、ｅノードＢに制御情報を送信するために、制御セクション中のリソースブロック４１０ａ、４１０ｂが割り当てられ得る。ＵＥには、ｅノードＢにデータを送信するために、データセクション中のリソースブロック４２０ａ、４２０ｂも割り当てられ得る。ＵＥは、制御セクション中の割り当てられたリソースブロック上の物理アップリンク制御チャネル（ＰＵＣＣＨ：physical uplink control channel）中で制御情報を送信し得る。ＵＥは、データセクション中の割り当てられたリソースブロック上の物理アップリンク共有チャネル（ＰＵＳＣＨ：physical uplink shared channel）中でデータのみまたはデータと制御情報の両方を送信し得る。アップリンク送信は、サブフレームの両方のスロットにわたり得、周波数上でホッピングし得る。
【００３７】
[0048]初期システムアクセスを実行し、物理ランダムアクセスチャネル（ＰＲＡＣＨ：physical random access channel）４３０中でアップリンク同期を達成するためにリソースブロックのセットが使用され得る。ＰＲＡＣＨ４３０はランダムシーケンスを搬送する。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みだけを行うことができる。
【００３８】
[0049]図５は、ＬＴＥにおけるユーザプレーンおよび制御プレーンのための無線プロトコルアーキテクチャの一例を示す図５００である。ＵＥおよびｅノードＢのための無線プロトコルアーキテクチャは、レイヤ１と、レイヤ２と、レイヤ３との３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅノードＢとの間のリンクを担当する。
【００３９】
[0050]ユーザプレーンでは、Ｌ２レイヤ５０８は、ネットワーク側のｅノードＢにおいて終端される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含めてＬ２レイヤ５０８の上にいくつかの上位レイヤを有し得る。
【００４０】
[0051]ＰＤＣＰサブレイヤ５１４は、異なる無線ベアラと論理チャネルとの間で多重化を行う。ＰＤＣＰサブレイヤ５１４はまた、無線送信オーバーヘッドを低減するための上位レイヤデータパケットのヘッダ圧縮と、データパケットを暗号化することによるセキュリティと、ｅノードＢ間のＵＥに対するハンドオーバサポートとを行う。ＲＬＣサブレイヤ５１２は、上位レイヤデータパケットのセグメンテーションおよび再統合と、紛失データパケットの再送信と、ハイブリッド自動再送要求（ＨＡＲＱ：hybrid automatic repeat request）による、順が狂った受信を補正するデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル中の様々な無線リソース（たとえば、リソースブロック）を割り振ることを担当する。ＭＡＣサブレイヤ５１０はまたＨＡＲＱ動作を担当する。
【００４１】
[0052]制御プレーンでは、ＵＥおよびｅノードＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（すなわち、無線ベアラ）を取得することと、ｅノードＢとＵＥとの間のＲＲＣシグナリングを使用して下位レイヤを構成することとを担当する。
【００４２】
[0053]図６は、アクセスネットワーク中でＵＥ６５０と通信しているｅノードＢ６１０のブロック図である。ダウンリンクでは、コアネットワークからの上位レイヤパケットがコントローラ／プロセッサ６７５に与えられる。コントローラ／プロセッサ６７５はＬ２レイヤの機能を実装する。ダウンリンクでは、コントローラ／プロセッサ６７５は、様々な優先度メトリックに基づいて、ヘッダ圧縮と、暗号化と、パケットのセグメント化および並べ替えと、論理チャネルとトランスポートチャネルとの間の多重化と、ＵＥ６５０への無線リソース割振りとを行う。コントローラ／プロセッサ６７５はまた、ＨＡＲＱ動作と、紛失パケットの再送信と、ＵＥ６５０へのシグナリングとを担当する。
【００４３】
[0054]ＴＸプロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを可能にするために、コーディングとインターリービングとを含む。コーディングされ変調されたシンボルは、次いで並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成されて、時間領域ＯＦＤＭシンボルストリームを搬送する物理チャネルが生成される。ＯＦＤＭストリームは、複数の空間ストリームを生成するために空間的にプリコーディングされる。チャネル推定器６７４からのチャネル推定値は、コーディングおよび変調方式を判断するために、ならびに空間処理のために使用され得る。チャネル推定値は、ＵＥ６５０によって送信される基準信号および／またはチャネル状態フィードバックから導出され得る。各空間ストリームは、次いで、別個の送信機６１８ＴＸを介して異なるアンテナ６２０に与えられる。各送信機６１８ＴＸは、送信のためにそれぞれの空間ストリームでＲＦキャリアを変調する。
【００４４】
[0055]ＵＥ６５０において、各受信機６５４ＲＸは、それのそれぞれのアンテナ６５２を通して信号を受信する。各受信機６５４ＲＸは、ＲＦキャリア上に変調された情報を復元し、受信機（ＲＸ）プロセッサ６５６に情報を与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行する。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅノードＢ６１０によって送信される、可能性が最も高い信号コンスタレーションポイントを判断することによって復元され、復調される。これらの軟判定は、チャネル推定器６５８によって計算されるチャネル推定値に基づき得る。軟判定は、次いで、物理チャネル上でｅノードＢ６１０によって最初に送信されたデータと制御信号とを復元するために復号され、デインターリーブされる。データおよび制御信号は、次いでコントローラ／プロセッサ６５９に与えられる。
【００４５】
[0056]コントローラ／プロセッサ６５９はＬ２レイヤを実装する。コントローラ／プロセッサは、プログラムコードとデータとを記憶するメモリ６６０に関連し得る。メモリ６６０はコンピュータ可読媒体と呼ばれることがある。アップリンクでは、コントローラ／プロセッサ６５９は、コアネットワークからの上位レイヤパケットを復元するために、トランスポートチャネルと論理チャネルとの間の多重分離と、パケットリアセンブリと、復号（deciphering）と、ヘッダ復元（decompression）と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担当する。
【００４６】
[0057]アップリンクでは、データソース６６７は、コントローラ／プロセッサ６５９に上位レイヤパケットを与えるために使用される。データソース６６７は、Ｌ２レイヤの上のすべてのプロトコルレイヤを表す。ｅノードＢ６１０によるダウンリンク送信に関して説明した機能と同様に、コントローラ／プロセッサ６５９は、ヘッダ圧縮と、暗号化と、パケットのセグメント化および並べ替えと、ｅノードＢ６１０による無線リソース割振りに基づいた論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作と、紛失パケットの再送信と、ｅノードＢ６１０へのシグナリングとを担当する。
【００４７】
[0058]ｅノードＢ６１０によって送信される基準信号またはフィードバックからの、チャネル推定器６５８によって導出されるチャネル推定値は、適切な符号化および変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられる。各送信機６５４ＴＸは、送信のためにそれぞれの空間ストリームでＲＦキャリアを変調する。
【００４８】
[0059]アップリンク送信は、ＵＥ６５０における受信機機能に関して説明した方法と同様の方法でｅノードＢ６１０において処理される。各受信機６１８ＲＸは、それのそれぞれのアンテナ６２０を通して信号を受信する。各受信機６１８ＲＸは、ＲＦキャリア上で変調された情報を復元し、ＲＸプロセッサ６７０に情報を与える。ＲＸプロセッサ６７０はＬ１レイヤを実装し得る。
【００４９】
[0060]コントローラ／プロセッサ６７５はＬ２レイヤを実装する。コントローラ／プロセッサ６７５は、プログラムコードとデータとを記憶するメモリ６７６に関連し得る。メモリ６７６はコンピュータ可読媒体と呼ばれることがある。アップリンクでは、コントローラ／プロセッサ６７５は、ＵＥ６５０からの上位レイヤパケットを復元するために、トランスポートチャネルと論理チャネルとの間の多重分離と、パケットリアセンブリと、復号と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担当する。
【００５０】
適応ＴＤＤ構成
[0061]本開示の一態様は、サービングセルおよびネイバーセルの時分割複信（ＴＤＤ）構成に基づいてダウンリンク／アップリンク通信を調整することを対象とする。さらに、本開示の態様は、ｅノードＢ間干渉および／またはＵＥ間干渉を緩和することを対象とする。さらに、本開示の態様は、あるＴＤＤ構成から別のＴＤＤ構成への遷移を改善することをも対象とする。
【００５１】
[0062]図７に、ＬＴＥ  ＴＤＤシステムのための異なるＴＤＤサブフレーム構成を示す。異なるサブフレーム構成は、異なるダウンリンク（ＤＬ）およびアップリンク（ＵＬ）リソース割振りを指定する。たとえば、構成０は、サブフレーム０におけるダウンリンクサブフレームと、サブフレーム１における特殊サブフレームと、サブフレーム２〜４におけるアップリンクサブフレームと、サブフレーム５のためのダウンリンクサブフレームと、サブフレーム６における別の特殊サブフレームと、サブフレーム７〜９におけるアップリンクサブフレームとを含む。
【００５２】
[0063]ダウンリンクリソースとアップリンクリソースとが周波数にわたって分割されるＦＤＤシステムと比較して、図７に示すＴＤＤ構成は、ダウンリンク負荷およびアップリンク負荷が変動するときに追加の利得を与え得る。以下の説明は、ＴＤＤネットワークにおいて適用され得る適応アップリンク／ダウンリンクサブフレーム構成を含む。当業者は、特殊サブフレームも適応可能であり得ることを理解されよう。
【００５３】
[0064]ＴＤＤ構成は、セル負荷に応じたダウンリンクおよび／またはアップリンクリソース割振りのための適応を可能にし得る。たとえば、適応ＴＤＤ構成は、シングルセルネットワークにおいてバースト性トラフィックに対する利得を増加させ得る。さらに、適応ＴＤＤ構成は、セルが軽負荷であるときに送信オーバーヘッドを低減し得る。
【００５４】
[0065]ＴＤＤ構成に基づく干渉は、同じ事業者シナリオまたは異なる事業者シナリオを含み得る。特に、同じ事業者シナリオの場合、隣接するセルが異なるＴＤＤ構成を有するとき、隣接するセルは互いに干渉を経験し得る。さらに、異なる事業者が異なるＴＤＤ構成を使用する場合、ＴＤＤ構成はマクロセル境界領域において異なり得る。
【００５５】
[0066]他の場合、ホットスポットにおける展開など、ピコセルが展開されるとき、トラフィック状態はマクロセルまたは別のピコセルとは異なり得る。その上、場合によっては、ピコセル間および／またはピコセルとマクロセルとの間のＴＤＤ構成は異なり得る。さらに、場合によっては、ホットスポットは異なる構成を有し得る。その上、異なるＴＤＤ構成が異なるキャリアに適用され得る。たとえば、いくつかのキャリアでは、隣接するキャリアの周波数分離は２．５ＭＨｚであり得る。
【００５６】
[0067]図８に、第１のｅノードＢ８０１と第２のｅノードＢ８０２とを有するシステムの一例を示す。図８に示すように、第１のＵＥ８０３は第１のｅノードＢ８０１と通信することを試み得、同様に、第２のＵＥ８０４は第２のｅノードＢ８０２と通信することを試み得る。第１のｅノードＢ８０１はＴＤＤ構成１に従って通信し得、第２のｅノードＢ８０２はＴＤＤ構成２に従って通信し得る。ＴＤＤ構成１および２のサブフレーム（ＳＦ）０〜４が図８に示されている。この例では、サブフレーム３において干渉が発生する。
【００５７】
[0068]すなわち、ｅノードＢ間干渉の例示的な例では、第１のｅノードＢ８０１は、第１のＵＥ８０３からアップリンク信号８１３を受信すると予想する。しかしながら、第２のｅノードＢ８０２が第１のｅノードＢ８０１と同じ帯域において送信するので、第２のｅノードＢ８０２のダウンリンク信号は、第１のｅノードＢ８０１のアップリンクタイムスロット中に干渉８１０を引き起こし得る。干渉８１０は、アップリンク信号８１３を受信する第１のｅノードＢの能力に影響を及ぼし得る。
【００５８】
[0069]ＵＥ間干渉の例では、第１のＵＥ８０３が第１のｅノードＢ８０１にアップリンク信号８１３を送信することを試みている間、第２のＵＥ８０４は第２のｅノードＢ８０２からのダウンリンク送信８１４を予想する。第１のＵＥ８０３のアップリンク信号８１３は、第２のＵＥ８０４のダウンリンク受信への干渉８０９を引き起こし得る。干渉は、ＵＥが互いに近い場合、大きいことがある。
【００５９】
[0070]干渉管理のための実装形態ベースのソリューションが、遷移問題に対処するために適用され得る。一構成では、干渉回避が半静的ＴＤＤ構成のために指定され得る。すなわち、ｅノードＢまたはＵＥは、特定のＴＤＤ構成を検出することを試み、干渉を緩和するようにおよび／または防ぐように送信スケジュールを調整し得る。より詳細には、ｅノードＢおよび／またはＵＥは、７つのアップリンク／ダウンリンク構成に基づいて、どのサブフレームが隣接するｅノードＢおよび／またはＵＥと潜在的に整合しないことがあるかを判断し得る。ｅノードＢおよび／またはＵＥは、ＴＤＤ構成が半静的である（たとえば、迅速に変化していない）ときにＴＤＤ構成を検出し得る。
【００６０】
[0071]一構成では、ｅノードＢは、ｅノードＢに関連するＵＥのアップリンク受信時間中に干渉ｅノードＢのダウンリンク信号を検出することによって干渉ｅノードＢからの構成を識別する。すなわち、ｅノードＢは、ｅノードＢがアップリンク信号を予想している時間期間中に隣接するｅノードＢからダウンリンク送信を受信し得る。したがって、ｅノードＢは、受信したダウンリンク送信に基づいて、隣接するｅノードＢからのアップリンク／ダウンリンク構成を識別し得る。場合によっては、受信したダウンリンク送信は干渉信号と見なされ得る。ｅノードＢは、不整合が検出された後、不整合を管理し得る。
【００６１】
[0072]一構成では、ｅノードＢは、アップリンク／ダウンリンク構成に関して不整合サブフレームを識別するために、共通基準信号（ＣＲＳ：common reference signal）トーンまたはチャネル状態情報基準信号（ＣＳＩ−ＲＳ：channel state information reference signal）トーンのエネルギー検出を使用し得る。本構成では、ＣＳＩ−ＲＳトーンが低電力ノードに一意にマッピングされる場合、ＣＳＩ−ＲＳトーンは不整合サブフレームを識別し得る。ｅノードＢは、異なるスケジューリング、変調およびコーディング方式（ＭＣＳ：modulation and coding scheme）、および／または電力制御を用いて不整合サブフレームを処理し得る。
【００６２】
[0073]別の構成では、ＵＥは、ネイバーＵＥのアップリンク信号に基づいてネイバーＵＥを識別し得る。ネイバーＵＥを検出した後、ＵＥは、識別された干渉および／またはネイバーＵＥの存在を示すために、ネットワークにシグナリングし得る。サウンディング基準信号（ＳＲＳ：sounding reference signal）、アップリンク制御チャネル、およびランダムアクセスチャネルに対する干渉の影響は限定され得る。詳細には、サウンディング基準信号は各サブフレームの最後のシンボル内に限定され、アップリンク制御チャネルは１つのリソースブロック（ＲＢ）内にあり、ランダムアクセスチャネルはスパースである。したがって、上述のチャネルに対する干渉の影響は限定され得る。さらに、一構成では、主要な干渉源が共有アップリンクチャネルであるとき、干渉はスケジューラによって緩和され得る。すなわち、ＵＥまたは干渉ネイバーＵＥのスケジュールは、潜在的干渉を緩和するために変更され得る。
【００６３】
[0074]一構成では、ｅノードＢは、干渉管理のために拡張セル間干渉協調（ｅＩＣＩＣ：enhanced inter-cell interference coordination）機構を適用し得る。特に、ｅノードＢは、干渉信号検出、および／またはｅノードＢ間のインターフェース（たとえば、Ｘ２インターフェースまたはファイバーインターフェース）から受信した情報を介して異なるサブフレーム構成を識別し得る。
【００６４】
[0075]異なるサブフレーム構成を識別した後、ｅノードＢは、デュアルチャネル状態情報（ＣＳＩ）報告を報告するようにＵＥをマイスケジュールする。詳細には、いくつかのサブフレームは干渉を受けることがあり、いくつかのサブフレームは干渉によって影響を及ぼされないことがある。したがって、２つの異なるＣＳＩ報告がスケジュールされ得る。第１の報告は、他のＴＤＤ構成と衝突しないサブフレームに関するクリーンＣＳＩを報告するためにスケジュールされ得る。さらに、第２の報告は、他のＴＤＤ構成と潜在的に衝突するサブフレームに関する非クリーンＣＳＩのために指定され得る。報告に基づいて、ｅノードＢは、他のＵＥからの干渉を経験するＵＥを識別し得る。さらに、ｅノードＢは、干渉を回避するために、識別されたＵＥをリソース（たとえば、周波数／時間）に対してスケジュールし得る。
【００６５】
[0076]干渉消去方式の別の構成は、直交周波数分割多重（ＯＦＤＭ）信号がシングルキャリア周波数分割多重化（ＳＣ−ＦＤＭ）信号から消去されるときに適用され得、その逆も同様である。典型的なＵＥ干渉消去方式は、別のアップリンク信号を検出するために干渉アップリンク信号を消去すること、または異なるダウンリンク信号から干渉ダウンリンク部分を消去することに焦点を当てる。本開示の一態様では、適応ＴＤＤ構成の場合、ＵＥは、ダウンリンク信号（たとえば、ＣＲＳ、ＰＤＣＣＨ、および／またはＰＤＳＣＨ）を検出するためにアップリンク信号（たとえば、ＰＵＳＣＨ、ＰＵＣＣＨ、ＰＲＡＣＨ、および／またはＳＲＳ）を消去する。
【００６６】
[0077]別の構成では、適応ＴＤＤ構成の場合、ｅノードＢは、アップリンク信号（たとえば、ＰＵＳＣＨ、ＰＵＣＣＨ、ＰＲＡＣＨ、および／またはＳＲＳ）を検出するためにダウンリンク信号（たとえば、ＰＢＣＨ、ＣＲＳ、ＰＤＣＣＨ、および／またはＰＤＳＣＨ）を消去する。ＰＳＳおよびＳＳＳは、それらが、構成にわたって共通であるサブフレーム上にあるために、それらが一般に整合するので、消去されない。これらの信号のいくつかは既知の時間／周波数ロケーションにあるので、これらの信号のための消去は、構成がＸ２インターフェースまたはファイバー接続を介して交換され得る場合、比較的より容易である。（たとえば、ＣＲＳからの）既知の干渉トーンを仮定すれば、ｅノードＢは、これらの信号によるパンクチャドトーンを考慮するために、適切な対数尤度定量（ＬＬＲ：log likelihood ration）スケーリングを実行し得る。
【００６７】
[0078]本開示の別の態様は、アンカーサブフレームベースの設計を対象とする。再び図７のＴＤＤ構成を参照すると、すべてのサブフレームのうちの４つのサブフレーム（すなわち、サブフレーム０、１、２および５）は整合する。さらに、サブフレーム６では、ダウンリンク送信が部分的に整合する。整合するサブフレーム（すなわち、構成にわたって変化しないサブフレーム）はアンカーサブフレームと呼ばれることもある。
【００６８】
[0079]一構成では、適応ＴＤＤ構成はアンカーサブフレームに基づいて改善され得る。さらに、本開示の別の態様は、シグナリングならびにハイブリッド自動再送要求（ＨＡＲＱ）タイムライン変更を低減することを対象とする。さらに、いくつかの構成（たとえば、構成１および２）のみが可能にされる場合、アンカーサブフレームは、さらに、８つのサブフレームに拡張され得る。
【００６９】
[0080]アンカーサブフレームの例を図９Ａおよび図９Ｂに示す。図９Ａは、すべての７つのＴＤＤ構成にわたるアンカーサブフレーム９０２を示している。詳細には、アンカーサブフレーム９０２はサブフレーム０、１、２および５を含み得る。さらに、サブフレーム６は、ダウンリンク送信が部分的に整合するので、アンカーサブフレームと見なされ得る。整合しないサブフレーム（すなわち、異なる構成にわたって変化するサブフレーム）は非アンカーサブフレーム９０４と呼ばれることがある。
【００７０】
[0081]本開示の別の態様では、アンカーサブフレームはただ２つの構成に基づいて判断される。詳細には、図９Ｂを参照すると、ＴＤＤアップリンク／ダウンリンク構成１および２がアンカーサブフレームを判断すると見なされ得る。サブフレーム０、１、２、４、５、６、７、および９は構成１および２にわたって共通である。したがって、これらのサブフレームはアンカーサブフレーム９０２として定義される。残りのサブフレーム３および８は非アンカーサブフレーム９０４と呼ばれる。
【００７１】
[0082]本開示の一態様では、異なる構成にわたって共通であるサブフレームの第１のセットはアンカーサブフレームとして定義され得る。一構成では、アンカーサブフレームのためのＨＡＲＱタイミングならびにＡＣＫ／ＮＡＣＫロケーションは変化しない。さらに、干渉を受け得るサブフレームの第２のセットは非アンカーサブフレームとして定義され得る。非アンカーサブフレームは、アップリンク方向とダウンリンク方向とを適応的に変更し得る（すなわち、ダウンリンクサブフレームはアップリンクサブフレームに変更され得、その逆も同様である）。非アンカーサブフレームはまた、セルの間で異なる（たとえば、１つのセルではアップリンクであり、近隣セルではダウンリンクである）サブフレームを含み得る。一構成では、ＨＡＲＱタイミングおよびＡＣＫ／ＮＡＣＫロケーションは、適応ＴＤＤの場合、非アンカーサブフレームについて変更され得る。追加または代替として、ＡＣＫ／ＮＡＣＫロケーションは、サブフレームがセルにわたって異なる場合、干渉レベルに応じて変更され得る。たとえば、場合によっては、ＡＣＫは、アップリンクサブフレームがダウンリンクサブフレームに変更されたとき、アップリンクサブフレーム上で送信されない。
【００７２】
[0083]本開示の別の態様はシグナリング方法を対象とする。特に、アンカーサブフレーム情報は、システム情報ブロック（ＳＩＢ：system information block）を介してブロードキャストされるか、または無線リソース制御（ＲＲＣ）メッセージングを介してシグナリングされ得る。ｅノードＢは、方向を変更しないサブフレームを示すためにアンカーサブフレーム構成をシグナリングする。アンカーサブフレーム情報は、詳細なＴＤＤ構成を含むことも含まないこともある。さらに、アンカーサブフレーム情報は、Ｘ２インターフェースまたはファイバー接続など、ｅノードＢ間のインターフェースを介して交換され得る。さらに、無線リソース制御（ＲＲＣ）シグナリングまたは動的シグナリングは、ＵＥごとに非アンカーサブフレームオプションを可能または不能にするために指定され得る。
【００７３】
[0084]一例では、ｅノードＢは、ビットマップを使用してアンカーサブフレーム構成を示し得る。３つ以上の構成が指定されるとき、示されたサブフレームは、完全に整合するサブフレームのサブセットである。すべての７つの構成が指定されるとき、示されたサブフレームはサブフレーム０、１、２、５、６である。サブフレームタイプは、共通サブフレームと、アップリンク／ダウンリンク方向を動的に変更することができるサブフレームとに基づいて区分され得る。
【００７４】
[0085]さらに、一構成では、チャネル状態情報（ＣＳＩ）報告は、アンカーサブフレームセットと非アンカーサブフレームセットとに従って分離される。たとえば、ＣＳＩ報告の第１のセットはアンカーサブフレームセットを対象とし得、ＣＳＩ報告の第２のセットは非アンカーサブフレームセットを対象とし得る。別の構成では、クロスサブフレームスケジューリングが指定され得る。すなわち、スケジューリング許可がアンカーサブフレーム上で送信され得、クロスサブフレームスケジューリングが非アンカーサブフレーム送信のために使用される。
【００７５】
[0086]適応ＴＤＤ構成では、アンカーサブフレームは、ダウンリンク／アップリンク方向変更なしのサブフレームを示す。異なるセルにわたる異なるＴＤＤ構成の場合、アンカーサブフレームは、隣接するセル間のｅノードＢ間干渉またはＵＥ間干渉を経験しないサブフレームである。一構成では、ｅノードＢは、干渉レベルに基づいて、ＨＡＲＱタイムラインを変更すべきかどうかを判断し得る。すなわち、適応ＴＤＤ構成の場合、ＨＡＲＱタイムラインは非アンカーサブフレームのために再定義される。場合によっては、ＨＡＲＱ送信、（たとえば、再送信）またはＡＣＫがアンカーサブフレーム内にあるとき、適応の前と後ではＨＡＲＱタイムラインへの変更はない。代替的に、ＨＡＲＱ再送信またはＡＣＫが非アンカーサブフレーム内にあるとき、ＨＡＲＱタイムラインは遷移中に再設計される。たとえば、送信の新しい方向がＡＣＫ送信を可能にしないとき、ＡＣＫはアンカーサブフレームに移動される。別の構成では、ＡＣＫは、次のアンカーサブフレームまで遅延されるか、または次のアンカーサブフレームに対してスケジュールされたＡＣＫにバンドルされる。
【００７６】
[0087]セルにわたる異なるＴＤＤ構成では、サブフレームのいくつかは干渉を経験する。さらに、ＵＥの異なる地理的位置により、すべてのＵＥが同じ影響を受けるとは限らない。たとえば、干渉セルに対してサービングセルの向こう側にあるＵＥは、ＴＤＤアップリンク／ダウンリンク不整合によってあまり影響を及ぼされないことがある。したがって、異なるＵＥが受ける干渉の変動する量およびプロファイルを活用するために、様々なシグナリング構成が実装され得る。同様に、いくつかのＵＥは異なるレベルの干渉消去が可能であり得る。したがって、シグナリングはＵＥ固有であり得るか、またはＵＥのものは、干渉および／または干渉消去能力に基づいてグループ化され、シグナリングされ得る。
【００７７】
[0088]識別されると、ＵＥ間干渉またはｅノードＢ間干渉が予想される場合、干渉を経験するＵＥは、アンカーサブフレームを用いてシグナリングされ得る。さらに、干渉が予想されないかまたは強くない場合、いくつかのＵＥは、非アンカーサブフレームを用いてシグナリングされ得る。ｅノードＢは、ＵＥのロケーションおよび干渉レベルに応じて非アンカーサブフレームのための新しいＨＡＲＱタイムラインを可能または不能にするためにＵＥにシグナリングし得る。さらに、セル内の異なるＵＥは、異なるアンカーサブフレーム構成を用いてシグナリングされ得る。たとえば、セル内の異なるロケーションにおける２つのＵＥは、異なる近くの干渉セル（または干渉セルの組合せ）により、異なるサブフレーム上でアップリンク／ダウンリンク不整合を経験し得る。したがって、これらの２つのＵＥは、同じサービングｅノードＢによって、異なるアンカーサブフレームを用いてシグナリングされ得る。
【００７８】
[0089]一構成では、低コストＵＥ、電力節約ＵＥ、高モビリティＵＥ、および／または保証サービスＵＥなど、１つまたは複数の特定のＵＥは、共通サブフレーム上のみで動作するように構成され得る。たとえば、特定のＵＥが、適応ＴＤＤと、異なるＴＤＤ構成によるセル間干渉とによって影響を及ぼされないように、特定のＵＥはサブフレーム０、１、２、５、および６上のみで動作し得る。
【００７９】
[0090]アンカーサブフレーム設計は、ｅノードＢおよびＵＥが各ＴＤＤ構成を別々に処理する、個別ＴＤＤ構成シグナリングを与える。さらに、アンカーサブフレームベースのシグナリングおよび干渉管理方式は、変化しないかまたは他のサブフレームと比較して干渉を受けないサブフレームをシグナリングするための共通フレームワークを与える。さらに、アンカーサブフレーム設計は、ＨＡＲＱ送信または他の再構成問題についてＵＥが何を仮定するかを制御するためのフレキシビリティをｅノードＢに与える。
【００８０】
[0091]図１０に、本開示の一態様に基づく、ワイヤレスネットワークにおいて干渉を緩和するための方法１０００を示す。
【００８１】
[0092]ブロック１００２において、ｅノードＢが干渉ＴＤＤ構成を識別する。一構成では、ｅノードＢは、ｅノードＢに関連するＵＥのためのアップリンクタイムスロット中に受信された近隣ｅノードＢのダウンリンク信号に基づいて干渉ＴＤＤ構成を識別し得る。別の構成では、ｅノードＢは、干渉ＴＤＤ構成を識別するために、ＣＲＳおよび／またはＣＳＩ−ＲＳトーンのためのユーザエネルギー検出器であり得る。
【００８２】
[0093]ブロック１００４において、ｅノードＢは、識別された干渉に少なくとも部分的に基づいて干渉管理を実行する。一構成では、干渉管理は、干渉ＴＤＤ構成に基づいて、整合しないサブフレームのために異なるスケジューリングおよび／または電力制御を指定することを含み得る。別の構成では、干渉管理は、ＵＥのアップリンク信号を検出するために、干渉ｅノードＢのダウンリンク信号を消去することを含み得る。ダウンリンク信号は、たとえば、物理ブロードキャストチャネル、ＣＲＳ、ダウンリンク制御チャネル、および／または共有チャネルを含み得る。
【００８３】
[0094]図１１に、本開示の一態様に基づく、ワイヤレスネットワークにおいて干渉を緩和するための方法１１００を示す。
【００８４】
[0095]ブロック１１０２において、ＵＥがダウンリンクサブフレーム中のアップリンク干渉を測定する。干渉は近隣ＵＥによって引き起こされ得る。一構成では、干渉源は近隣ＵＥの共有チャネル送信である。
【００８５】
[0096]ブロック１１０４において、ＵＥは干渉をｅノードＢに報告する。一構成では、干渉を通知された後、ｅノードＢはＵＥのスケジューリングを調整し得る。別の構成では、ＵＥは、近隣ＵＥのアップリンク信号に対して干渉消去を実行し得る。アップリンク信号は、共有アップリンクチャネル、アップリンク制御チャネル、ランダムアクセスチャネル、および／またはサウンディング基準信号であり得る。
【００８６】
[0097]図１２に、本開示の一態様に基づく、ワイヤレスネットワークにおいて干渉を緩和するための方法１２００を示す。
【００８７】
[0098]ブロック１２０２において、ｅノードＢが、アップリンク構成およびダウンリンク構成にわたって共通であるサブフレームのアンカーセットを定義する。一構成では、アンカーサブフレームのためのＨＡＲＱタイミングおよびＡＣＫ／ＮＡＣＫロケーションは変更されない。
【００８８】
[0099]ブロック１２０４において、ｅノードＢは、異なるアップリンク構成およびダウンリンク構成にわたって潜在的に共通でないサブフレームの非アンカーセットを定義する。一構成では、非アンカーサブフレームのためのＨＡＲＱタイミングおよびＡＣＫ／ＮＡＣＫロケーションは、適応ＴＤＤ構成のためにおよび／または干渉レベルに基づいて変更される。サブフレームのアンカーセットおよびサブフレームの非アンカーセットは、すべての可能なＴＤＤ構成から選択されるか、または特定のネットワーク／システムのために指定されたＴＤＤ構成のみから選択され得る。
【００８９】
[00100]ブロック１２０６において、ｅノードＢは、アンカーセット、非アンカーセット、またはそれらの組合せのうちの１つまたは複数を少なくとも１つのＵＥにシグナリングする。シグナリングはＳＩＢまたはＲＲＣシグナリングであり得る。シグナリングは、詳細なＴＤＤ構成情報を含み得、ビットマップまたはインデックス値としてブロードキャストまたはユニキャストされ得る。
【００９０】
[00101]図１３は、例示的な装置１３００中の異なるモジュール／手段／構成要素間のデータフローを示す概念データフロー図である。装置１３００は、干渉ＴＤＤ構成を識別する干渉識別モジュール１３０２を含む。干渉は、第１の基地局のアップリンク通信と第２の基地局のダウンリンク通信との間の不整合から生じ得る。干渉識別モジュール１３０２は、ＵＥのアップリンクタイムスロット中に干渉ｅノードＢのダウンリンク送信を受信し得る。ダウンリンク送信は、受信モジュール１３０６において受信された信号１３１０を介して受信され得る。一構成では、受信モジュール１３０６は、ダウンリンク送信が受信されたことを干渉識別モジュール１３０２に通知し得る。別の構成では、受信モジュール１３０６はダウンリンク送信を干渉識別モジュール１３０２に通信する。
【００９１】
[00102]装置１３００はまた、識別された干渉を管理する干渉管理モジュール１３０４を含む。前に説明したように、一構成では、干渉管理モジュールは、干渉ＴＤＤ構成に基づいて、整合しないサブフレームのために異なるスケジューリングおよび／または電力制御を指定し得る。別の構成では、干渉管理モジュールは、ＵＥのアップリンク信号を検出するために、干渉ｅノードＢのダウンリンク信号を消去し得る。すなわち、干渉管理モジュール１３０４は、送信モジュール１３０８を使用して、干渉を管理するために信号１３１３を送信し得る。信号１３１３は、ダウンリンク干渉を消去し、ならびに／あるいはサブフレームスケジューリングおよび／または電力を制御し得る。本装置は、図１０の上述のフローチャート中のプロセスのステップの各々を実行する追加のモジュールを含み得る。したがって、上述のフローチャート図１０中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００９２】
[00103]図１４は、例示的な装置１４００中の異なるモジュール／手段／構成要素間のデータフローを示す概念データフロー図である。装置１４００は、ＵＥのダウンリンクサブフレーム中のアップリンク干渉を測定する干渉測定モジュール１４０２を含む。干渉測定モジュール１４０２は、ＵＥのダウンリンクタイムスロット中に干渉ＵＥのダウンリンク送信を受信し得る。アップリンク送信は、受信モジュール１４０６において受信された信号１４１０を介して受信され得る。一構成では、受信モジュール１４０６は、アップリンク送信が受信されたことを干渉測定モジュール１４０２に通知し得る。別の構成では、受信モジュール１４０６は、信号１４１０を介して受信されたアップリンク送信を干渉測定モジュール１４０２に通信する。
【００９３】
[00104]装置１４００はまた、識別された干渉をｅノードＢに報告する干渉報告モジュール１４０４を含む。詳細には、干渉報告モジュール１４０４は、送信モジュール１４０８を使用して、干渉をｅノードＢに報告するために信号１４１２を送信し得る。本装置は、図１１の上述のフローチャート中のプロセスのステップの各々を実行する追加のモジュールを含み得る。したがって、上述のフローチャート図１１中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００９４】
[00105]図１５は、例示的な装置１５００中の異なるモジュール／手段／構成要素間のデータフローを示す概念データフロー図である。装置１５００は、アップリンク構成およびダウンリンク構成（たとえば、ＴＤＤ構成）にわたって共通であるサブフレームのアンカーセットを定義するアンカーサブフレーム定義モジュール１５０２を含む。装置１５００は、異なるアップリンク構成およびダウンリンク構成（たとえば、ＴＤＤ構成）にわたって潜在的に共通でないサブフレームの非アンカーセットを定義する非アンカーサブフレーム定義モジュール１５０４をも含む。
【００９５】
[00106]アンカーサブフレーム定義モジュール１５０２および／または非アンカーサブフレーム定義モジュール１５０４は、受信モジュール１５０６において受信された信号１５１０に基づいて特定のネットワークのＴＤＤ構成を通知され得る。一構成では、受信モジュール１５０６は、アンカーサブフレーム定義モジュール１５０２および／または非アンカーサブフレーム定義モジュール１５０４にＴＤＤ構成を通知し得る。別の構成では、受信モジュール１５０６は、信号１５１０を介して受信されたＴＤＤ構成をアンカーサブフレーム定義モジュール１５０２および／または非アンカーサブフレーム定義モジュール１５０４に通信する。
【００９６】
[00107]さらに、送信モジュール１５０８は、アンカーセットおよび非アンカーセットのうちの１つまたは複数を少なくとも１つのＵＥにシグナリングするために信号１５１２を送信するように指定され得る。送信モジュール１５０８は、アンカーサブフレーム定義モジュール１５０２および非アンカーサブフレーム定義モジュール１５０４の各々から非アンカーセットおよび／またはアンカーセットを直接通知され得る。本装置は、図１２の上述のフローチャート中のプロセスのステップの各々を実行する追加のモジュールを含み得る。したがって、上述のフローチャート図１２中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００９７】
[00108]図１６は、処理システム１６１４を採用する装置１６００のためのハードウェア実装形態の一例を示す図である。処理システム１６１４は、バス１６２４によって概略的に表されるバスアーキテクチャを用いて実装され得る。バス１６２４は、処理システム１６１４の特定の適用例および全体的な設計制約に応じて、任意の数の相互接続バスおよびブリッジを含み得る。バス１６２４は、プロセッサ１６２２によって表される１つまたは複数のプロセッサおよび／またはハードウェアモジュールと、モジュール１６０２、１６０４と、コンピュータ可読媒体１６２６とを含む様々な回路を互いにリンクする。バス１６２４はまた、タイミングソース、周辺機器、電圧調整器、および電力管理回路など、様々な他の回路をリンクし得るが、これらの回路は当技術分野においてよく知られており、したがって、これ以上説明しない。
【００９８】
[00109]本装置は、トランシーバ１６３０に結合された処理システム１６１４を含む。トランシーバ１６３０は、１つまたは複数のアンテナ１６２０に結合される。トランシーバ１６３０は、伝送媒体を介して様々な他の装置と通信することを可能にする。処理システム１６１４は、コンピュータ可読媒体１６２６に結合されたプロセッサ１６２２を含む。プロセッサ１６２２は、コンピュータ可読媒体１６２６に記憶されたソフトウェアの実行を含む一般的な処理を担当する。ソフトウェアは、プロセッサ１６２２によって実行されたとき、処理システム１６１４に、いずれかの特定の装置について説明する様々な機能を実行させる。コンピュータ可読媒体１６２６はまた、ソフトウェアを実行するときにプロセッサ１６２２によって操作されるデータを記憶するために使用され得る。
【００９９】
[00110]処理システム１６１４は、干渉時分割複信（ＴＤＤ）構成を識別するための干渉識別モジュール１６０２を含む。処理システム１６１４は、識別された干渉に少なくとも部分的に基づいて干渉管理を実行するための干渉管理モジュール１６０４をも含む。それらのモジュールは、プロセッサ１６２２中で動作し、コンピュータ可読媒体１６２６中に常駐する／記憶された、ソフトウェアモジュールであるか、プロセッサ１６２２に結合された１つまたは複数のハードウェアモジュールであるか、またはそれらの何らかの組合せであり得る。処理システム１６１４は、ＵＥ６５０の構成要素であり得、メモリ６６０および／またはコントローラ／プロセッサ６５９を含み得る。
【０１００】
[00111]図１７は、処理システム１７１４を採用する装置１７００のためのハードウェア実装形態の一例を示す図である。処理システム１７１４は、バス１７２４によって概略的に表されるバスアーキテクチャを用いて実装され得る。バス１７２４は、処理システム１７１４の特定の適用例および全体的な設計制約に応じて、任意の数の相互接続バスおよびブリッジを含み得る。バス１７２４は、プロセッサ１７２２によって表される１つまたは複数のプロセッサおよび／またはハードウェアモジュールと、モジュール１７０２、１７０４と、コンピュータ可読媒体１７２６とを含む様々な回路を互いにリンクする。バス１７２４はまた、タイミングソース、周辺機器、電圧調整器、および電力管理回路など、様々な他の回路をリンクし得るが、これらの回路は当技術分野においてよく知られており、したがって、これ以上説明しない。
【０１０１】
[00112]本装置は、トランシーバ１７３０に結合された処理システム１７１４を含む。トランシーバ１７３０は、１つまたは複数のアンテナ１７２０に結合される。トランシーバ１７３０は、伝送媒体を介して様々な他の装置と通信することを可能にする。処理システム１７１４は、コンピュータ可読媒体１７２６に結合されたプロセッサ１７２２を含む。プロセッサ１７２２は、コンピュータ可読媒体１７２６に記憶されたソフトウェアの実行を含む一般的な処理を担当する。ソフトウェアは、プロセッサ１７２２によって実行されたとき、処理システム１７１４に、いずれかの特定の装置について説明した様々な機能を実行させる。コンピュータ可読媒体１７２６はまた、ソフトウェアを実行するときにプロセッサ１７２２によって操作されるデータを記憶するために使用され得る。
【０１０２】
[00113]処理システム１７１４は、ＵＥによって、ＵＥのダウンリンクサブフレーム中のアップリンク干渉を測定するための干渉測定モジュール１７０２を含む。処理システム１７１４は、識別された干渉をｅノードＢに報告するための干渉報告モジュール１７０４をも含む。それらのモジュールは、プロセッサ１７２２中で動作し、コンピュータ可読媒体１７２６中に常駐する／記憶された、ソフトウェアモジュールであるか、プロセッサ１７２２に結合された１つまたは複数のハードウェアモジュールであるか、またはそれらの何らかの組合せであり得る。処理システム１７１４は、ＵＥ６５０の構成要素であり得、メモリ６６０および／またはコントローラ／プロセッサ６５９を含み得る。
【０１０３】
[00114]図１８は、処理システム１８１４を採用する装置１８００のためのハードウェア実装形態の一例を示す図である。処理システム１８１４は、バス１８２４によって概略的に表されるバスアーキテクチャを用いて実装され得る。バス１８２４は、処理システム１８１４の特定の適用例および全体的な設計制約に応じて、任意の数の相互接続バスおよびブリッジを含み得る。バス１８２４は、プロセッサ１８２２によって表される１つまたは複数のプロセッサおよび／またはハードウェアモジュールと、モジュール１８０２、１８０４、１８０６と、コンピュータ可読媒体１８２６とを含む様々な回路を互いにリンクする。バス１８２４はまた、タイミングソース、周辺機器、電圧調整器、および電力管理回路など、様々な他の回路をリンクし得るが、これらの回路は当技術分野においてよく知られており、したがって、これ以上説明しない。
【０１０４】
[00115]本装置は、トランシーバ１８３０に結合された処理システム１８１４を含む。トランシーバ１８３０は、１つまたは複数のアンテナ１８２０に結合される。トランシーバ１８３０は、伝送媒体を介して様々な他の装置と通信することを可能にする。処理システム１８１４は、コンピュータ可読媒体１８２６に結合されたプロセッサ１８２２を含む。プロセッサ１８２２は、コンピュータ可読媒体１８２６に記憶されたソフトウェアの実行を含む一般的な処理を担当する。ソフトウェアは、プロセッサ１８２２によって実行されたとき、処理システム１８１４に、いずれかの特定の装置について説明した様々な機能を実行させる。コンピュータ可読媒体１８２６はまた、ソフトウェアを実行するときにプロセッサ１８２２によって操作されるデータを記憶するために使用され得る。
【０１０５】
[00116]処理システム１８１４は、複数のアップリンク構成およびダウンリンク構成にわたって共通であるサブフレームのアンカーセットを定義するためのアンカーサブフレーム定義モジュール１８０２を含む。処理システム１８１４は、異なるアップリンク構成およびダウンリンク構成にわたって潜在的に共通でないサブフレームの非アンカーセットを定義するための非アンカーサブフレーム定義モジュール１８０４をも含む。処理システム１８１４は、アンカーセット、非アンカーセット、またはそれらの組合せのうちの１つまたは複数を少なくとも１つのＵＥにシグナリングするためのアンカーセットシグナリングモジュール１８０６をさらに含み得る。それらのモジュールは、プロセッサ１８２２中で動作し、コンピュータ可読媒体１８２６中に常駐する／記憶された、ソフトウェアモジュールであるか、プロセッサ１８２２に結合された１つまたは複数のハードウェアモジュールであるか、またはそれらの何らかの組合せであり得る。処理システム１８１４は、ＵＥ６５０の構成要素であり得、メモリ６６０および／またはコントローラ／プロセッサ６５９を含み得る。
【０１０６】
[00117]一構成では、ｅノードＢ６１０は、干渉を識別するための手段を含むワイヤレス通信のために構成される。一構成では、干渉識別手段は、干渉識別手段によって具陳された機能を実行するように構成された、コントローラ／プロセッサ６７５、メモリ６７６、受信プロセッサ６７０、復調器６１８、および／またはアンテナ６２０であり得る。ｅノードＢ６１０はまた、干渉を管理するための手段を含むように構成される。一態様では、干渉管理手段は、干渉管理手段によって具陳された機能を実行するように構成された、コントローラ／プロセッサ６７５、メモリ６７６、送信プロセッサ６１６、変調器６１８、および／またはアンテナ６２０であり得る。別の構成では、上述の手段は、上述の手段によって具陳された機能を実行するように構成された任意のモジュールまたは任意の装置であり得る。
【０１０７】
[00118]一構成では、ＵＥ６５０は、干渉を測定するための手段を含むワイヤレス通信のために構成される。一態様では、干渉測定手段は、干渉測定手段によって具陳された機能を実行するように構成された、コントローラ／プロセッサ６５９、メモリ６６０、受信プロセッサ６５６、変調器６５４、および／またはアンテナ６５２であり得る。ＵＥ６５０はまた、測定された干渉を報告するための手段を含むワイヤレス通信のために構成される。一構成では、干渉報告手段は、干渉報告手段によって具陳された機能を実行するように構成された、コントローラ／プロセッサ６５９、メモリ６６０、変調器６５４、アンテナ６５２、および／または送信プロセッサ６６８であり得る。別の構成では、上述の手段は、上述の手段によって具陳された機能を実行するように構成された任意のモジュールまたは任意の装置であり得る。
【０１０８】
[00119]一構成では、ｅノードＢ６１０は、アンカーサブフレームセットと非アンカーサブフレームセットとを定義するための手段を含むワイヤレス通信のために構成される。一構成では、アンカーサブフレームセットおよび非アンカーサブフレームセット定義手段は、アンカーサブフレームセットおよび非アンカーサブフレームセット定義によって具陳された機能を実行するように構成された、コントローラ／プロセッサ６７５、メモリ６４６、受信プロセッサ６７０、復調器６１８、および／またはアンテナ６２０であり得る。ｅノードＢ６１０はまた、アンカーサブフレームセットおよび／または非アンカーサブフレームセットをシグナリングするための手段を含むように構成される。一態様では、アンカーサブフレームセットおよび／または非アンカーサブフレームセットシグナリング手段は、アンカーサブフレームセットおよび／または非アンカーサブフレームセットシグナリング手段によって具陳された機能を実行するように構成された、コントローラ／プロセッサ６７５、メモリ６４６、送信プロセッサ６１６、変調器６１８、および／またはアンテナ６２０であり得る。別の構成では、上述の手段は、上述の手段によって具陳された機能を実行するように構成された任意のモジュールまたは任意の装置であり得る。
【０１０９】
[00120]さらに、本明細書の開示に関して説明した様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課された設計制約に依存する。当業者は、説明した機能を特定の適用例ごとに様々な方法で実装し得るが、そのような実装の決定は、本開示の範囲からの逸脱を生じるものと解釈されるべきではない。
【０１１０】
[00121]開示では、「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。詳細には、「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ただし、いずれのそのような組合せも、Ａ、Ｂ、またはＣのうちの１つまたは複数のメンバーを含み得る。
【０１１１】
[00122]本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１１２】
[00123]本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に常駐し得る。ＡＳＩＣはユーザ端末中に常駐し得る。代替として、プロセッサおよび記憶媒体は、ユーザ端末中に個別構成要素として常駐し得る。
【０１１３】
[00124]１つまたは複数の例示的な設計では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（disc）、光ディスク（disc）、デジタル多用途ディスク（disc）（ＤＶＤ）、フロッピーディスク（disk）およびｂｌｕ−ｒａｙディスク（disc）を含み、ディスク（disk）は、通常、データを磁気的に再生し、ディスク（disc）は、データをレーザーで光学的に再生する。上記の組合せもコンピュータ可読媒体の範囲内に含まれるべきである。
【０１１４】
[00125]本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に、本願出願の当初の特許請求の範囲に記載された発明を付記する。
［Ｃ１］  ワイヤレスネットワークにおいて干渉を緩和するための方法であって、
干渉時分割複信（ＴＤＤ）構成と、第１の基地局のアップリンク通信と第２の基地局のダウンリンク通信との間の不整合から生じる干渉とを識別することと、
前記識別された干渉ＴＤＤ構成に少なくとも部分的に基づいて干渉管理を実行することと
を備える、方法。
［Ｃ２］  前記干渉管理が、前記識別された干渉を回避すること、または前記識別された干渉を消去することを備える、Ｃ１に記載の方法。
［Ｃ３］  前記識別された干渉を消去することが、意図されたアップリンク信号を受信したとき、干渉ダウンリンク信号を消去することを備える、Ｃ２に記載の方法。
［Ｃ４］  前記識別することが、サービング基地局のユーザ機器（ＵＥ）に関連するアップリンクサブフレーム内のダウンリンク信号を検出することによって干渉基地局を識別することを備え、
前記干渉管理が、ＵＥのスケジューリング、変調およびコーディング方式（ＭＣＳ）、電力制御、またはそれらの組合せのうちの１つまたは複数を変更することを備える、Ｃ１に記載の方法。
［Ｃ５］  前記識別することが、共通基準信号（ＣＲＳ）トーンまたはチャネル状態情報基準信号（ＣＳＩ−ＲＳ）トーンのエネルギーを検出することを備える、Ｃ１に記載の方法。
［Ｃ６］  前記識別することが、ユーザ機器（ＵＥ）からシグナリングを受信することを備え、前記シグナリングがサービング基地局にＵＥ間干渉を通知する、Ｃ１に記載の方法。
［Ｃ７］  前記干渉管理が、
潜在的に整合しないアップリンク／ダウンリンクサブフレームについての第１のチャネル状態情報（ＣＳＩ）報告をスケジュールすることと、
異なるアップリンク／ダウンリンク構成にわたる共通アップリンク／ダウンリンクサブフレームについての第２のチャネル状態情報（ＣＳＩ）報告をスケジュールすることとを備え、
前記方法が、前記第１のＣＳＩ報告と前記第２のＣＳＩ報告とに少なくとも部分的に基づいてユーザ機器（ＵＥ）干渉を識別することをさらに備える、Ｃ１に記載の方法。
［Ｃ８］  ワイヤレスネットワークにおいて干渉を緩和するための方法であって、
ユーザ機器（ＵＥ）によって、前記ＵＥのダウンリンクサブフレーム中のアップリンク干渉を測定することと、
前記アップリンク干渉をｅノードＢに報告することと
を備える、方法。
［Ｃ９］  意図されたダウンリンク信号を受信したとき、干渉アップリンク信号を消去することをさらに備える、Ｃ８に記載の方法。
［Ｃ１０］  アンカーサブフレームを識別する送信を受信することをさらに備える、Ｃ８に記載の方法。
［Ｃ１１］  前記送信がブロードキャストまたはユニキャストである、Ｃ１０に記載の方法。
［Ｃ１２］  再定義されたハイブリッド自動再送要求（ＨＡＲＱ）構成を受信することをさらに備える、Ｃ８に記載の方法。
［Ｃ１３］  前記再定義されたＨＡＲＱ構成が、非アンカーサブフレームのために前にスケジュールされたＡＣＫ／ＮＡＣＫ送信をアンカーサブフレームまで遅延させる、Ｃ１２に記載の方法。
［Ｃ１４］  前記再定義されたＨＡＲＱ構成が、前記非アンカーサブフレームに対して前にスケジュールされたＡＣＫ／ＮＡＣＫ送信を、前記アンカーサブフレームに対してスケジュールされたＡＣＫ／ＮＡＣＫ送信とバンドルする、Ｃ１２に記載の方法。
［Ｃ１５］  複数のアップリンク構成およびダウンリンク構成にわたって共通であるサブフレームのアンカーセットを定義することと、
異なるアップリンク構成およびダウンリンク構成にわたって潜在的に共通でないサブフレームの非アンカーセットを定義することと、
前記アンカーセット、前記非アンカーセット、またはそれらの組合せのうちの１つまたは複数を少なくとも１つのユーザ機器（ＵＥ）にシグナリングすることと
を備える、ワイヤレス通信の方法。
［Ｃ１６］  サブフレームの前記アンカーセット上でダウンリンク割当て、アップリンク許可、またはそれらの組合せのうちの１つまたは複数を送信することによってサブフレームにわたってスケジュールすることをさらに備える、Ｃ１５に記載の方法。
［Ｃ１７］  サブフレームの前記非アンカーセットのためにハイブリッド自動再送要求（ＨＡＲＱ）構成を再定義することをさらに備える、Ｃ１５に記載の方法。
［Ｃ１８］  前記再定義されたＨＡＲＱ構成が、非アンカーサブフレームのために前にスケジュールされたＡＣＫ／ＮＡＣＫ送信をアンカーサブフレームまで遅延させる、Ｃ１７に記載の方法。
［Ｃ１９］  前記再定義されたＨＡＲＱ構成が、前記非アンカーサブフレームに対して前にスケジュールされた前記ＡＣＫ／ＮＡＣＫ送信を、前記アンカーサブフレームに対してスケジュールされた前記ＡＣＫ／ＮＡＣＫ送信とバンドルする、Ｃ１８に記載の方法。
［Ｃ２０］  前記再定義されたＨＡＲＱ構成を可能にすることをさらに備える、Ｃ１７に記載の方法。
［Ｃ２１］  異なるＵＥに異なるアンカーサブフレーム構成をシグナリングすることをさらに備える、Ｃ１５に記載の方法。
［Ｃ２２］  サブフレームの前記アンカーセットのみの上でＵＥのサブセットと通信することをさらに備える、Ｃ１５に記載の方法。
［Ｃ２３］  アンカーサブフレームについての第１のチャネル状態情報（ＣＳＩ）と非アンカーサブフレームについての第２のＣＳＩとを報告するように前記少なくとも１つのＵＥを構成することをさらに備える、Ｃ１５に記載の方法。
［Ｃ２４］  前記シグナリングすることが、システム情報ブロック（ＳＩＢ）シグナリング、無線リソース制御（ＲＲＣ）シグナリング、Ｘ２シグナリング、または物理ダウンリンク制御チャネル（ＰＤＣＣＨ）シグナリングである、Ｃ１５に記載の方法。
［Ｃ２５］  前記シグナリングすることがＵＥ固有またはグループＵＥベースである、Ｃ２４に記載の方法。
［Ｃ２６］  メモリと、
前記メモリに結合された少なくとも１つのプロセッサと
を備える、ワイヤレス通信のための装置であって、前記少なくとも１つのプロセッサが、
干渉時分割複信（ＴＤＤ）構成と、第１の基地局のアップリンク通信と第２の基地局のダウンリンク通信との間の不整合から生じる干渉とを識別することと、
前記識別された干渉ＴＤＤ構成に少なくとも部分的に基づいて干渉管理を実行することと
を行うように構成された、装置。
［Ｃ２７］  前記少なくとも１つのプロセッサが、前記識別された干渉を回避すること、または前記識別された干渉を消去することを行うようにさらに構成された、Ｃ２６に記載の装置。
［Ｃ２８］  前記少なくとも１つのプロセッサが、意図されたアップリンク信号を受信したとき、干渉ダウンリンク信号を消去するようにさらに構成された、Ｃ２７に記載の装置。
［Ｃ２９］  前記少なくとも１つのプロセッサが、
サービング基地局のユーザ機器（ＵＥ）に関連するアップリンクサブフレーム内のダウンリンク信号を検出することによって干渉基地局を識別することと、
ＵＥのスケジューリング、変調およびコーディング方式（ＭＣＳ）、電力制御、またはそれらの組合せのうちの１つまたは複数を変更することと
を行うようにさらに構成された、Ｃ２６に記載の装置。
［Ｃ３０］  前記少なくとも１つのプロセッサが、共通基準信号（ＣＲＳ）トーンまたはチャネル状態情報基準信号（ＣＳＩ−ＲＳ）トーンのエネルギーを検出するようにさらに構成された、Ｃ２６に記載の装置。
［Ｃ３１］  前記少なくとも１つのプロセッサが、ユーザ機器（ＵＥ）からシグナリングを受信するようにさらに構成され、前記シグナリングがサービング基地局にＵＥ間干渉を通知する、Ｃ２６に記載の装置。
［Ｃ３２］  前記少なくとも１つのプロセッサが、
潜在的に整合しないアップリンク／ダウンリンクサブフレームについての第１のチャネル状態情報（ＣＳＩ）報告をスケジュールすることと、
異なるアップリンク／ダウンリンク構成にわたる共通アップリンク／ダウンリンクサブフレームについての第２のチャネル状態情報（ＣＳＩ）報告をスケジュールすることと、
前記第１のＣＳＩ報告と前記第２のＣＳＩ報告とに少なくとも部分的に基づいてユーザ機器（ＵＥ）干渉を識別することと
を行うようにさらに構成された、Ｃ２６に記載の装置。
［Ｃ３３］  メモリと、
前記メモリに結合された少なくとも１つのプロセッサと
を備える、ワイヤレス通信のための装置であって、前記少なくとも１つのプロセッサが、
ユーザ機器（ＵＥ）によって、前記ＵＥのダウンリンクサブフレーム中のアップリンク干渉を測定することと、
前記アップリンク干渉をｅノードＢに報告することと
を行うように構成された、装置。
［Ｃ３４］  前記少なくとも１つのプロセッサが、意図されたダウンリンク信号を受信したとき、干渉アップリンク信号を消去するようにさらに構成された、Ｃ３３に記載の装置。
［Ｃ３５］  前記少なくとも１つのプロセッサが、アンカーサブフレームを識別する送信を受信するようにさらに構成された、Ｃ３３に記載の装置。
［Ｃ３６］  前記送信がブロードキャストまたはユニキャストである、Ｃ３５に記載の装置。
［Ｃ３７］  前記少なくとも１つのプロセッサが、再定義されたハイブリッド自動再送要求（ＨＡＲＱ）構成を受信するようにさらに構成された、Ｃ３３に記載の装置。
［Ｃ３８］  前記再定義されたＨＡＲＱ構成が、非アンカーサブフレームのために前にスケジュールされたＡＣＫ／ＮＡＣＫ送信をアンカーサブフレームまで遅延させる、Ｃ３７に記載の装置。
［Ｃ３９］  前記再定義されたＨＡＲＱ構成が、前記非アンカーサブフレームに対して前にスケジュールされたＡＣＫ／ＮＡＣＫ送信を、前記アンカーサブフレームに対してスケジュールされたＡＣＫ／ＮＡＣＫ送信とバンドルする、Ｃ３７に記載の装置。
［Ｃ４０］  メモリと、
前記メモリに結合された少なくとも１つのプロセッサと
を備える、ワイヤレス通信のための装置であって、前記少なくとも１つのプロセッサが、
複数のアップリンク構成およびダウンリンク構成にわたって共通であるサブフレームのアンカーセットを定義することと、
異なるアップリンク構成およびダウンリンク構成にわたって潜在的に共通でないサブフレームの非アンカーセットを定義することと、
前記アンカーセット、前記非アンカーセット、またはそれらの組合せのうちの１つまたは複数を少なくとも１つのユーザ機器（ＵＥ）にシグナリングすることと
を行うように構成された、装置。
［Ｃ４１］  前記少なくとも１つのプロセッサが、サブフレームの前記アンカーセット上でダウンリンク割当て、アップリンク許可、またはそれらの組合せのうちの１つまたは複数を送信することによってサブフレームにわたってスケジュールすることを行うようにさらに構成された、Ｃ４０に記載の装置。
［Ｃ４２］  前記少なくとも１つのプロセッサが、サブフレームの前記非アンカーセットのためにハイブリッド自動再送要求（ＨＡＲＱ）構成を再定義するようにさらに構成された、Ｃ４０に記載の装置。
［Ｃ４３］  前記再定義されたＨＡＲＱ構成が、非アンカーサブフレームのために前にスケジュールされたＡＣＫ／ＮＡＣＫ送信をアンカーサブフレームまで遅延させる、Ｃ４２に記載の装置。
［Ｃ４４］  前記再定義されたＨＡＲＱ構成が、前記非アンカーサブフレームに対して前にスケジュールされた前記ＡＣＫ／ＮＡＣＫ送信を、前記アンカーサブフレームに対してスケジュールされた前記ＡＣＫ／ＮＡＣＫ送信とバンドルする、Ｃ４３に記載の装置。
［Ｃ４５］  前記少なくとも１つのプロセッサが、前記再定義されたＨＡＲＱ構成を可能にするようにさらに構成された、Ｃ４２に記載の装置。
［Ｃ４６］  前記少なくとも１つのプロセッサが、異なるＵＥに異なるアンカーサブフレーム構成をシグナリングするようにさらに構成された、Ｃ４０に記載の装置。
［Ｃ４７］  前記少なくとも１つのプロセッサが、サブフレームの前記アンカーセットのみの上でＵＥのサブセットと通信するようにさらに構成された、Ｃ４０に記載の装置。
［Ｃ４８］  前記少なくとも１つのプロセッサが、アンカーサブフレームについての第１のチャネル状態情報（ＣＳＩ）と非アンカーサブフレームについての第２のＣＳＩとを報告するように前記少なくとも１つのＵＥを構成するようにさらに構成された、Ｃ４０に記載の装置。
［Ｃ４９］  前記シグナリングすることが、システム情報ブロック（ＳＩＢ）シグナリング、無線リソース制御（ＲＲＣ）シグナリング、Ｘ２シグナリング、または物理ダウンリンク制御チャネル（ＰＤＣＣＨ）シグナリングである、Ｃ４０に記載の装置。
［Ｃ５０］  前記シグナリングすることがＵＥ固有またはグループＵＥベースである、Ｃ４９に記載の装置。
［Ｃ５１］  干渉時分割複信（ＴＤＤ）構成と、第１の基地局のアップリンク通信と第２の基地局のダウンリンク通信との間の不整合から生じる干渉とを識別するための手段と、
前記識別された干渉ＴＤＤ構成に少なくとも部分的に基づいて干渉管理を実行するための手段と
を備える、ワイヤレス通信のための装置。
［Ｃ５２］  ユーザ機器（ＵＥ）によって、前記ＵＥのダウンリンクサブフレーム中のアップリンク干渉を測定するための手段と、
前記アップリンク干渉をｅノードＢに報告するための手段と
を備える、ワイヤレス通信のための装置。
［Ｃ５３］  複数のアップリンク構成およびダウンリンク構成にわたって共通であるサブフレームのアンカーセットを定義するための手段と、
異なるアップリンク構成およびダウンリンク構成にわたって潜在的に共通でないサブフレームの非アンカーセットを定義するための手段と、
前記アンカーセット、前記非アンカーセット、またはそれらの組合せのうちの１つまたは複数を少なくとも１つのユーザ機器（ＵＥ）にシグナリングするための手段と
を備える、ワイヤレス通信のための装置。
［Ｃ５４］  ワイヤレス通信のためのコンピュータプログラム製品であって、
プログラムコードを記録した非一時的コンピュータ可読媒体を備え、前記プログラムコードが、
干渉時分割複信（ＴＤＤ）構成と、第１の基地局のアップリンク通信と第２の基地局のダウンリンク通信との間の不整合から生じる干渉とを識別するためのプログラムコードと、
前記識別された干渉ＴＤＤ構成に少なくとも部分的に基づいて干渉管理を実行するためのプログラムコードと
を備える、コンピュータプログラム製品。
［Ｃ５５］  ワイヤレス通信のためのコンピュータプログラム製品であって、
プログラムコードを記録した非一時的コンピュータ可読媒体を備え、前記プログラムコードが、
ユーザ機器（ＵＥ）によって、前記ＵＥのダウンリンクサブフレーム中のアップリンク干渉を測定するためのプログラムコードと、
前記アップリンク干渉をｅノードＢに報告するためのプログラムコードと
を備える、コンピュータプログラム製品。
［Ｃ５６］  ワイヤレス通信のためのコンピュータプログラム製品であって、
プログラムコードを記録した非一時的コンピュータ可読媒体を備え、前記プログラムコードが、
複数のアップリンク構成およびダウンリンク構成にわたって共通であるサブフレームのアンカーセットを定義するためのプログラムコードと、
異なるアップリンク構成およびダウンリンク構成にわたって潜在的に共通でないサブフレームの非アンカーセットを定義するためのプログラムコードと、
前記アンカーセット、前記非アンカーセット、またはそれらの組合せのうちの１つまたは複数を少なくとも１つのユーザ機器（ＵＥ）にシグナリングするためのプログラムコードと
を備える、コンピュータプログラム製品。
【図１】
0006275697.tif 000002
【図２】
0006275697.tif 000003
【図３】
0006275697.tif 000004
【図４】
0006275697.tif 000005
【図５】
0006275697.tif 000006
【図６】
0006275697.tif 000007
【図７】
0006275697.tif 000008
【図８】
0006275697.tif 000009
【図９Ａ】
0006275697.tif 000010
【図９Ｂ】
0006275697.tif 000011
【図１０】
0006275697.tif 000012
【図１１】
0006275697.tif 000013
【図１２】
0006275697.tif 000014
【図１３】
0006275697.tif 000015
【図１４】
0006275697.tif 000016
【図１５】
0006275697.tif 000017
【図１６】
0006275697.tif 000018
【図１７】
0006275697.tif 000019
【図１８】
0006275697.tif 000020